(57)【要約】【課題】  感度低下が少なく、処理後に汚染の極めて少なく、さらに経時で感度変動や着色ステインを生じさせない染料を含有するハロゲン化銀カラー写真感光材料を提供する。【解決手段】  支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に下記一般式（Ａ）で表される染料を含有し、かつ、特定構造を有するカプラーを含有することを特徴とするハロゲン化銀カラー写真感光材料。    【化１】2005300803.tif 000098【選択図】        なし【特許請求の範囲】
【請求項１】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に下記一般式（Ａ）で表される染料を含有し、かつ、該緑感性ハロゲン化銀乳剤層に下記一般式（Ｍ１）で表されるマゼンタカプラーの少なくとも１種を含有することを特徴とするハロゲン化銀カラー写真感光材料。
【化１】
2005300803.tif 000091
〔式中、Ｒ1はアルキル基又はアリール基を表し、Ｒ2はアルキル基を表し、Ｒ3は少なくとも１つのスルホ基またはカルボキシル基を有する、アルキル基又はフェニル基を表す。〕
【化２】
2005300803.tif 000092
〔式中、Ｙ11は水素原子、ハロゲン原子、アルキル基、アリール基、シクロアルキル基、複素環基、アルコキシ基またはアリールオキシ基を表す。Ｒ11およびＲ13は置換基を表す。Ｌ11は−ＮＲ14−または−Ｏ−を表し、Ｒ12およびＲ14は各々、アルキル基、シクロアルキル基、アルケニル基、複素環基またはアリール基を表す。ｍ１１は１または２の整数を表し、ｎ１１は０〜４の整数を表し、ｍ１１とｎ１１の和は４以下である。Ｘ11は水素原子又は発色現像主薬の酸化体との反応により離脱しうる基を表す。〕
【請求項２】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該緑感性ハロゲン化銀乳剤層に下記一般式（Ｍ２）で表されるマゼンタカプラーの少なくとも１種を含有することを特徴とするハロゲン化銀カラー写真感光材料。
【化３】
2005300803.tif 000093
〔式中、Ｒ21は置換基を表し、Ｒ22はアルキル基、シクロアルキル基またはアリール基を表す。Ｌ21はアルキレン基を表し、Ｊ21はＣ＝ＯまたはＳＯ2を表す。Ｘ21は水素原子又は発色現像主薬の酸化体との反応により離脱しうる基を表し、Ｚ21は含窒素複素環を形成するのに必要な非金属原子群を表す。〕
【請求項３】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該赤感性ハロゲン化銀乳剤層に下記一般式（Ｃ１）で表されるシアンカプラーの少なくとも１種を含有することを特徴とするハロゲン化銀カラー写真感光材料。
【化４】
2005300803.tif 000094
〔式中、Ｒ31はアルキル基、アリール基又は複素環基を表し、Ｒ32は置換基を表し、Ｘ31は水素原子又は発色現像主薬の酸化体との反応により離脱しうる基を表す。〕
【請求項４】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該赤感性ハロゲン化銀乳剤層に下記一般式（Ｃ２）で表されるシアンカプラーの少なくとも１種を含有することを特徴とするハロゲン化銀カラー写真感光材料。
【化５】
2005300803.tif 000095
〔式中、Ｒ41及びＲ42は各々アルキル基またはアリール基を表し、Ｌ41はアルキレン基を表し、Ｘ41は水素原子または酸化された発色現像主薬との反応により離脱しうる基を表す。〕
【請求項５】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該青感性ハロゲン化銀乳剤層に下記一般式（Ｙ１）で表されるイエローカプラーの少なくとも１種を含有することを特徴とするハロゲン化銀カラー写真感光材料。
【化６】
2005300803.tif 000096
〔式中、Ｒ51はアルキル基又は芳香族基を表し、Ｒ52は耐拡散性のアルキル基又は芳香族基を表す。Ｒ53は水素又はハロゲン原子を表す。Ｌ51は水素原子、又は発色現像主薬の酸化体との反応により離脱しうる５または６員の含窒素複素環基を表す。〕
【請求項６】
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該青感性ハロゲン化銀乳剤層に下記一般式（Ｙ２）で表されるイエローカプラーの少なくとも１種を含有することを特徴とするハロゲン化銀カラー写真感光材料。
【化７】
2005300803.tif 000097
〔式中、Ｒ61は置換基を表す。Ｘ61はアリール基または複素環を表す。Ｚ61は−Ｎ−Ｃ＝Ｎ部と共に含窒素６員環を形成するのに必要な原子群を表す。Ｌ61は水素原子、又は発色現像主薬の酸化体との反応により離脱しうる基を表す。〕
【発明の詳細な説明】
【技術分野】
【０００１】
本発明は染料を含有するハロゲン化銀カラー写真感光材料に関し、特に光吸収染料として有用な染料によって着色された親水性コロイド層を有するハロゲン化銀カラー写真感光材料に関する。
【背景技術】
【０００２】
ハロゲン化銀写真感光材料において、フィルター、ハレーション防止、イラジエーション防止或いは感度調節のため特定の波長の光を吸収させる目的で、ハロゲン化銀写真感光材料中に染料を含有させることはよく知られており、これらの染料によって親水性コロイド層を着色させている。
【０００３】
フィルター層は、通常、感光性乳剤層の上層或いは乳剤層と乳剤層の間に位置し、乳剤層に到達する入射光を好ましい分光組成の光とする役割を果たす。また、写真画像の鮮鋭性を向上させる目的で、乳剤層と支持体との間或いは支持体裏面にハレーション防止層を設けて、乳剤層と支持体との界面や、支持体背面等での有害な反射光を吸収させて、ハレーション防止をしたり、乳剤層を着色してハロゲン化銀粒子等による有害な反射光や散乱光等を吸収させて、イラジエーション防止をすることがよく行われている。
【０００４】
このような目的で用いられる染料は、使用目的に応じて良好な吸収スペクトル特性を有していること、写真現像処理中に完全に脱色され、或いは、ハロゲン化銀写真感光材料中から容易に溶出して現像処理後に染料による残色汚染が無いこと、写真乳剤に対してカブリ、減感等の悪影響を及ぼさないこと、更に溶液中或いはハロゲン化銀写真感光材料中での経時安定性にすぐれ、変退色しないこと等の諸条件を満足しなければならない。
【０００５】
今日までに、前記の条件を満足させる染料を見いだすことを目的として、多くの努力がなされ、多数の染料が提案されてきた。例えば、オキソノール染料（例えば、特許文献１〜３参照。）が知られている。
【０００６】
これらの染料は確かに上記性能をある程度満足していたが、近年迅速処理化に伴い残色汚染等の問題が再び出てきた。即ちカラーペーパー感材では赤色感光層のイラジエーション防止目的で用いられたペンタメチンピラゾロンオキソノール染料が感光極大波長に比べて短く、充分な光学散乱防止効果を得るにはスペクトルが一致する場合に比べて多量の添加が必要であった。このためこれら感材では染料の写真特性に及ぼす影響が見られたり、染料が処理後に汚染として観察されるようになった。
【０００７】
より写真的に不活性であり、溶出に優れ、残色汚染の少ない染料として多くの染料が知られている（例えば、特許文献４〜１３参照。）。
【０００８】
これらの染料によって汚染問題は解消されたものの、全く写真化学的に不活性な染料は見出されず、染料が多量に添加される結果、写真特性に影響が顕れるという問題は依然として解決されておらず、又感材を長期間保存している間に染料の光学濃度が低下して感度変動を生じるという新たな問題が明らかになった。
【０００９】
必要以上な添加を必要としないために、好ましい領域に吸収極大を与える長波化した染料としてはメソ位に置換基を有するペンタメチン染料（例えば、特許文献１４〜２１参照。）が知られていた。しかしながらこれら染料は、前述した残色汚染性が改良された染料に見られた経時安定性が劣る欠点が見られていた。
【００１０】
さらに、これらの染料はある種のカプラーとの組み合わせで感度低下、経時での感度変動が増幅されるという新たな問題が明らかになった。
【特許文献１】米国特許第３，２４７，１２７号明細書  （第３〜９頁）
【特許文献２】特公昭３９−２２０６９号公報  （第２〜５頁）
【特許文献３】特公昭５５−１００５９号公報  （第２〜５頁）
【特許文献４】特開昭４８−６２８２６号公報  （第３頁）
【特許文献５】特開昭４８−８５１３０号公報  （第３〜５頁）
【特許文献６】特開昭５８−１４３３４２号公報  （第３〜５頁）
【特許文献７】特開昭６４−２６８５０号公報  （第７〜１１頁）
【特許文献８】特開平２−９３５３４号公報  （第４〜１２頁）
【特許文献９】特開平２−１３１２３３号公報  （第８〜１０頁）
【特許文献１０】特開平４−１２８８３５号公報  （第４〜８頁）
【特許文献１１】特開平４−２９６７４７号公報  （第４〜７頁）
【特許文献１２】特開平５−１４２６９６号公報  （第５〜１２頁）
【特許文献１３】特開平６−３７７０号公報  （第４〜５頁）
【特許文献１４】特開昭４８−８５１３０号公報  （第３〜５頁）
【特許文献１５】特開昭４９−９９６２０号公報  （第６〜８頁）
【特許文献１６】特開昭５７−１１２７５０号公報  （第３〜５頁）
【特許文献１７】特開昭６２−２７３５２７号公報  （第６〜１０頁）
【特許文献１８】特開昭６３−１３９９４９号公報  （第３〜９頁）
【特許文献１９】特開平８−５０３４６号公報  （第７〜１３頁）
【特許文献２０】特開平８−２４８５６８号公報  （第７〜１１頁）
【特許文献２１】特開平８−２７８６１３号公報  （第２５〜２９頁）
【発明の開示】
【発明が解決しようとする課題】
【００１１】
本発明の目的は、感度低下が少なく、処理後に汚染の極めて少なく、さらに経時で感度変動や着色ステインを生じさせない染料を含有するハロゲン化銀カラー写真感光材料を提供することにある。
【課題を解決するための手段】
【００１２】
本発明の上記目的は、以下の構成により達成することができる。
【００１３】
（請求項１）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に下記一般式（Ａ）で表される染料を含有し、かつ、該緑感性ハロゲン化銀乳剤層に下記一般式（Ｍ１）で表されるマゼンタカプラーの少なくとも１種を含有することを特徴とするハロゲン化銀カラー写真感光材料。
【００１４】
【化１】
2005300803.tif 000002
【００１５】
〔式中、Ｒ1はアルキル基又はアリール基を表し、Ｒ2はアルキル基を表し、Ｒ3は少なくとも１つのスルホ基またはカルボキシル基を有する、アルキル基又はフェニル基を表す。〕
【００１６】
【化２】
2005300803.tif 000003
【００１７】
〔式中、Ｙ11は水素原子、ハロゲン原子、アルキル基、アリール基、シクロアルキル基、複素環基、アルコキシ基またはアリールオキシ基を表す。Ｒ11およびＲ13は置換基を表す。Ｌ11は−ＮＲ14−または−Ｏ−を表し、Ｒ12およびＲ14は各々、アルキル基、シクロアルキル基、アルケニル基、複素環基またはアリール基を表す。ｍ１１は１または２の整数を表し、ｎ１１は０〜４の整数を表し、ｍ１１とｎ１１の和は４以下である。Ｘ11は水素原子又は発色現像主薬の酸化体との反応により離脱しうる基を表す。〕
（請求項２）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該緑感性ハロゲン化銀乳剤層に下記一般式（Ｍ２）で表されるマゼンタカプラーの少なくとも１種を含有することを特徴とするハロゲン化銀カラー写真感光材料。
【００１８】
【化３】
2005300803.tif 000004
【００１９】
〔式中、Ｒ21は置換基を表し、Ｒ22はアルキル基、シクロアルキル基またはアリール基を表す。Ｌ21はアルキレン基を表し、Ｊ21はＣ＝ＯまたはＳＯ2を表す。Ｘ21は水素原子又は発色現像主薬の酸化体との反応により離脱しうる基を表し、Ｚ21は含窒素複素環を形成するのに必要な非金属原子群を表す。〕
（請求項３）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該赤感性ハロゲン化銀乳剤層に下記一般式（Ｃ１）で表されるシアンカプラーの少なくとも１種を含有することを特徴とするハロゲン化銀カラー写真感光材料。
【００２０】
【化４】
2005300803.tif 000005
【００２１】
〔式中、Ｒ31はアルキル基、アリール基又は複素環基を表し、Ｒ32は置換基を表し、Ｘ31は水素原子又は発色現像主薬の酸化体との反応により離脱しうる基を表す。〕
（請求項４）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該赤感性ハロゲン化銀乳剤層に下記一般式（Ｃ２）で表されるシアンカプラーの少なくとも１種を含有することを特徴とするハロゲン化銀カラー写真感光材料。
【００２２】
【化５】
2005300803.tif 000006
【００２３】
〔式中、Ｒ41及びＲ42は各々アルキル基またはアリール基を表し、Ｌ41はアルキレン基を表し、Ｘ41は水素原子または酸化された発色現像主薬との反応により離脱しうる基を表す。〕
（請求項５）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該青感性ハロゲン化銀乳剤層に下記一般式（Ｙ１）で表されるイエローカプラーの少なくとも１種を含有することを特徴とするハロゲン化銀カラー写真感光材料。
【００２４】
【化６】
2005300803.tif 000007
【００２５】
〔式中、Ｒ51はアルキル基又は芳香族基を表し、Ｒ52は耐拡散性のアルキル基又は芳香族基を表す。Ｒ53は水素又はハロゲン原子を表す。Ｌ51は水素原子、又は発色現像主薬の酸化体との反応により離脱しうる５または６員の含窒素複素環基を表す。〕
（請求項６）
支持体上に青感性ハロゲン化銀乳剤層、緑感性ハロゲン化銀乳剤層、赤感性ハロゲン化銀乳剤層からなる写真構成層を有するハロゲン化銀カラー写真感光材料において、該写真構成層の少なくとも１層に上記一般式（Ａ）で表される染料を含有し、かつ、該青感性ハロゲン化銀乳剤層に下記一般式（Ｙ２）で表されるイエローカプラーの少なくとも１種を含有することを特徴とするハロゲン化銀カラー写真感光材料。
【００２６】
【化７】
2005300803.tif 000008
【００２７】
〔式中、Ｒ61は置換基を表す。Ｘ61はアリール基または複素環を表す。Ｚ61は−Ｎ−Ｃ＝Ｎ部と共に含窒素６員環を形成するのに必要な原子群を表す。Ｌ61は水素原子、又は発色現像主薬の酸化体との反応により離脱しうる基を表す。〕
【発明の効果】
【００２８】
本発明により、感度低下が少なく、処理後に汚染の極めて少なく、さらに経時で感度変動や着色ステインを生じさせない染料を含有するハロゲン化銀カラー写真感光材料を提供することができた。
【発明を実施するための最良の形態】
【００２９】
本発明を更に詳しく説明する。まず、一般式（Ａ）で表される染料について説明する。一般式（Ａ）においてＲ1およびＲ2で表されるアルキル基としては、例えばメチル基、エチル基、プロピル基、イソプロピル基、（ｉ）ブチル基、（ｓ）ブチル基、（ｔ）ブチル基、ペンチル基、シクロペンチル基、ヘキシル基、シクロヘキシル基、オクチル基、ドデシル基等が挙げられる。
【００３０】
前記一般式（Ａ）においてＲ1で表されるアリール基としては、例えばフェニル基、ナフチル基等が挙げられる。
【００３１】
Ｒ1で表される基のうち好ましいものはアルキル基でありさらに好ましいものはメチル基である。
【００３２】
Ｒ2で表される基のうち好ましいものはメチル基である。
【００３３】
前記一般式（Ａ）においてＲ3で表されるアルキル基としては、例えばカルボキシメチル基、カルボキシエチル基、スルホメチル基、スルホエキル基等が挙げられる。
【００３４】
前記一般式（Ａ）においてＲ3で表されるアリール基としては、例えば４−カルボキシフェニル基、４−スルホフェニル基、２，４−ジスルホフェニル基、２，５−ジスルホフェニル基等が挙げられる。
【００３５】
Ｒ3で表される基のうち好ましいものは少なくとも一つのスルホ基を有するフェニル基であり、さらに好ましくは２，５−ジスルホフェニル基である。
【００３６】
上記の基はいづれも置換基を有してもよい。置換基としてはアルキル基（例えば、メチル基、エチル基、プロピル基、イソプロピル基、（ｉ）ブチル基、（ｓ）ブチル基、（ｔ）ブチル基、ペンチル基、シクロペンチル基、ヘキシル基、シクロヘキシル基、オクチル基、ドデシル基等）、アルケニル基（例えば、ビニル基、アリル基等）、アルキニル基（例えば、プロパルギル基等）、アリール基（例えば、フェニル基、ナフチル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基等）、ハロゲン原子（例えば、塩素原子、臭素原子、ヨウ素原子、フッ素原子等）、アルコキシ基（例えば、メトキシ基、エトキシ基、プロピルオキシ基、ペンチルオキシ基、シクロペンチルオキシ基、ヘキシルオキシ基、シクロヘキシルオキシ基、オクチルオキシ基、ドデシルオキシ基等）、アリールオキシ基（例えば、フェノキシ基、ナフチルオキシ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルホンアミド基（例えば、メチルスルホニルアミノ基、エチルスルホニルアミノ基、ブチルスルホニルアミノ基、ヘキシルスルホニルアミノ基、シクロヘキシルスルホニルアミノ基、オクチルスルホニルアミノ基、ドデシルスルホニルアミノ基、フェニルスルホニルアミノ基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、アシルアミノ基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、アルキルスルホニル基またはアリールスルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、スルホ基、カルボキシル基、ヒドロキシル基等が挙げられる。
【００３７】
以下に一般式（Ａ）で表される染料の具体的化合物例を示すが、本発明はこれらに限定されるものではない。
【００３８】
【化８】
2005300803.tif 000009
【００３９】
【化９】
2005300803.tif 000010
【００４０】
次に、前記一般式（Ｍ１）で表されるマゼンタカプラーについて説明する。
【００４１】
一般式（Ｍ１）において、Ｒ11およびＲ13で表される置換基はＲ1における置換基と同義である。
【００４２】
Ｒ11で表される置換基の中で、好もしいものはアルキル基でありさらに好ましいものはｔ−ブチル基である。
【００４３】
Ｘ11で表される発色現像主薬の酸化体との反応により離脱しうる基としては、例えばハロゲン原子（塩素原子、臭素原子、弗素原子等）及びアルコキシ、アリールオキシ、複素環オキシ、アシルオキシ、スルホニルオキシ、アルコキシカルボニルオキシ、アリールオキシカルボニル、アルキルオキザリルオキシ、アルコキシオキザリルオキシ、アルキルチオ、アリールチオ、複素環チオ、アルキルオキシチオカルボニルチオ、アシルアミノ、スルホンアミド、Ｎ原子で結合した含窒素複素環、アルキルオキシカルボニルアミノ、アリールオキシカルボニルアミノ、カルボキシル等の各基が挙げられる。Ｘ11は好ましくは水素原子、ハロゲン原子、アルコキシ基、アリールオキシ基、アルキルチオ基、アリールチオ基、Ｎ原子で結合した含窒素複素環基等であり、さらに好ましくは塩素原子である。
【００４４】
Ｒ12およびＲ14で表されるアルキル基、シクロアルキル基、アルケニル基、複素環基およびアリール基としてはＲ1における各基と同様の基を挙げることができる。
【００４５】
Ｒ12で表される基のうちで好ましいものはアルキル基である。
【００４６】
ｎ１１は０が好ましく、ｍ１１は１が好ましい。Ｌ11はＮＲ14が好ましい。
【００４７】
Ｙ11で表される水素原子、ハロゲン原子、アルキル基、アリール基、シクロアルキル基、複素環基、アルコキシ基およびアリールオキシ基としてはＲ1における各基と同様の基を挙げることができる。これらのうちで好ましいものは水素原子である。
【００４８】
以下に一般式（Ｍ１）で表されるマゼンタカプラーの具体的化合物例を示すが、本発明はこれらに限定されるものではない。
【００４９】
【化１０】
2005300803.tif 000011
【００５０】
【化１１】
2005300803.tif 000012
【００５１】
【化１２】
2005300803.tif 000013
【００５２】
【化１３】
2005300803.tif 000014
【００５３】
【化１４】
2005300803.tif 000015
【００５４】
【化１５】
2005300803.tif 000016
【００５５】
【化１６】
2005300803.tif 000017
【００５６】
【化１７】
2005300803.tif 000018
【００５７】
【化１８】
2005300803.tif 000019
【００５８】
【化１９】
2005300803.tif 000020
【００５９】
【化２０】
2005300803.tif 000021
【００６０】
本発明の前記一般式（Ｍ１）で表されるマゼンタカプラーは、ジャーナル・オブ・ザ・ケミカル・ソサイアティ（Ｊｏｕｒｎａｌ  ｏｆ  ｔｈｅ  Ｃｈｅｍｉｃａｌ  Ｓｏｃｉｅｔｙ），パーキン（Ｐｅｒｋｉｎ）Ｉ（１９７７），２０４７〜２０５２、米国特許第３，７２５，０６７号、特開昭５９−９９４３７号、同５８−４２０４５号、同５９−１６２５４８号、同５９−１７１９５６号、同６０−３３５５２号、同６０−４３６５９号、同６０−１７２９８２号、同６０−１９０７７９号、同６１−１８９５３９号、同６１−２４１７５４号、同６３−１６３３５１号、同６２−１５７０３１号、Ｓｙｎｔｈｅｓｅｓ，１９８１年４０頁、同１９８４年１２２頁、同１９８４年８９４頁、特開昭４９−５３５７４号、英国特許第１，４１０，８４６号、新実験化学講座１４−III巻，１５８５〜１５９４頁（１９７７），丸善刊、Ｈｅｌｖ．Ｃｈｅｍ．Ａｃｔａ．，３６巻，７５頁（１９５３）、Ｊ．Ａｍ．Ｃｈｅｍ．Ｓｏｃ．，７２巻，２７６２頁（１９５０）、Ｏｒｇ．Ｓｙｎｔｈ．，II巻，３９５頁（１９４３）等を参考にして、当業者ならば容易に合成することができる。
【００６１】
次に前記一般式（Ｍ２）で表されるマゼンタカプラーについて詳細に説明する。
【００６２】
一般式（Ｍ２）において、Ｒ21で表される置換基はＲ1における置換基と同義である。
【００６３】
Ｒ21で表される置換基の中で、好もしいものはアルキル基でありさらに好ましいものはｔ−ブチル基である。
【００６４】
Ｘ21で表される発色現像主薬の酸化体との反応により離脱しうる基は、Ｘ11における各基と同義である。
【００６５】
Ｒ22で表されるアルキル基、シクロアルキル基およびアリール基としてはＲ1における各基と同様の基を挙げることができる。Ｒ22のうち好ましいものはアルキル基である。
【００６６】
Ｚ21により形成される含窒素複素環としては、ピラゾール環、イミダゾール環、トリアゾール環、テトラゾール環等が挙げられる。これらのうちで好ましい骨格は下記トリアゾール環（Ｍａ）および（Ｍｂ）であり、特に好ましくは（Ｍａ）である。
【００６７】
【化２１】
2005300803.tif 000022
【００６８】
Ｊ21はＣ＝Ｏが好ましい。
【００６９】
Ｌ21で表されるアルキレン基としては例えばメチレン基、エチレン基、プロピレン基、ブチレン基等の炭素数１〜１０の直鎖もしくは分岐を有するアルキレン基があげられ、特にエチレン基が好ましい。
【００７０】
以下に一般式（Ｍ２）で表されるマゼンタカプラーの具体的化合物例を示すが、本発明はこれらに限定されるものではない。
【００７１】
【化２２】
2005300803.tif 000023
【００７２】
【化２３】
2005300803.tif 000024
【００７３】
【化２４】
2005300803.tif 000025
【００７４】
【化２５】
2005300803.tif 000026
【００７５】
【化２６】
2005300803.tif 000027
【００７６】
【化２７】
2005300803.tif 000028
【００７７】
【化２８】
2005300803.tif 000029
【００７８】
【化２９】
2005300803.tif 000030
【００７９】
【化３０】
2005300803.tif 000031
【００８０】
【化３１】
2005300803.tif 000032
【００８１】
【化３２】
2005300803.tif 000033
【００８２】
【化３３】
2005300803.tif 000034
【００８３】
【化３４】
2005300803.tif 000035
【００８４】
次に前記一般式（Ｃ１）で表されるシアンカプラーについて詳細に説明する。
【００８５】
前記一般式（Ｃ１）において、Ｒ31で表されるアルキル基、シクロアルキル基およびアリール基としてはＲ1における各基と同様の基を挙げることができる。Ｒ31のうち好ましいものはアルキル基である。
【００８６】
Ｒ32で表される置換基はＲ1における置換基と同義である。Ｒ32で表される置換基の中で、好もしいものはアリール基でありさらに好ましいものはフェニル基である。
【００８７】
Ｘ31で表される発色現像主薬の酸化体との反応により離脱しうる基は、Ｘ11における各基と同義である。
【００８８】
以下に前記一般式（Ｃ１）で表されるシアンカプラーの具体例を挙げる。但し本発明のシアンカプラーはこれらに限定されるものではない。
【００８９】
【化３５】
2005300803.tif 000036
【００９０】
【化３６】
2005300803.tif 000037
【００９１】
【化３７】
2005300803.tif 000038
【００９２】
【化３８】
2005300803.tif 000039
【００９３】
【化３９】
2005300803.tif 000040
【００９４】
【化４０】
2005300803.tif 000041
【００９５】
【化４１】
2005300803.tif 000042
【００９６】
【化４２】
2005300803.tif 000043
【００９７】
【化４３】
2005300803.tif 000044
【００９８】
【化４４】
2005300803.tif 000045
【００９９】
次に、前記一般式（Ｃ２）で表されるシアンカプラーについて説明する。
【０１００】
前記一般式（Ｃ２）において、Ｒ41及びＲ42で表されるアルキル基およびアリール基としてはＲ1における各基と同様の基を挙げることができる。
【０１０１】
Ｒ41のうち好ましいものはヘプタフルオロプロピル基、４−クロロフェニル基、３，４−ジクロロフェニル基、４−シアノフェニル基、３−クロロ−４−シアノフェニル基、ペンタフルオロフェニル基、４−カルボンアミドフェニル基、４−スルホンアミドフェニル基及びアルキルスルホニルフェニル基である。
【０１０２】
Ｒ42のうち好ましいものはアリール基であり、特に置換基を有するフェニル基が好ましい。
【０１０３】
Ｒ42で表されるアリール基の置換基としては、アルキル基、例えば、メチル、ｔ−ブチル、ドデシル、ペンタデシルまたはオクタデシルの各基、アルコキシ基、例えば、メトキシ、ｔ−ブトキシまたはテトラデシルオキシの各基、アリールオキシ基、例えば、フェノキシ、４−ｔ−ブチルフェノキシまたは４−ドデシルフェノキシの各基、アルキルもしくはアリールアシルオキシ基、例えば、アセトキシ基またはドデカノイルオキシ基、アルキルもしくはアリールアシルアミノ基、例えば、アセトアミド基、ベンゾアミド基、またはヘキサデカンアミド基、アルキルもしくはアリールスルホニルオキシ基、例えば、メチルスルホニルオキシ、ドデシルスルホニルオキシまたは４−メチルフェニルスルホニルオキシの各基、アルキルもしくはアリールスルファモイルアミノ基、例えば、Ｎ−ブチルスルファモイルアミノまたはＮ−４−ブチルフェニルスルファモイルアミノの各基、アルキルもしくはアリールスルホンアミド基、例えば、メタンスルホンアミド、４−クロロフェニルスルホンアミドまたはヘキサデカンスルホンアミドの各基、ウレイド基、例えば、メチルウレイド基またはフェニルウレイド基、アルコキシカルボニルまたはアリールオキシカルボニルアミノ基、例えば、メトキシカルボニルアミノ基またはフェノキシカルボニルアミノ基、カルバモイル基、例えば、Ｎ−ブチルカルバモイル基もしくはＮ−メチル−Ｎ−ドデシルカルバモイル基、またはパーフルオロアルキル基、例えば、トリフルオロメチル基またはヘプタフルオロプロピル基が挙げられる。これらＲ42で表されるアリール基の置換基の中で好ましいものは、炭素数１〜３０、さらに好ましくは炭素数８〜２０のアルキル基またはアルコキシ基である。
【０１０４】
Ｌ41で表されるアルキレン基としては、Ｌ21と同様の基を挙げることができ、炭素数２〜４のアルキレン基が特に好ましい。
【０１０５】
Ｘ31で表される発色現像主薬の酸化体との反応により離脱しうる基は、Ｘ11における各基と同義である。これらの離脱基の中で好ましいものはハロゲン原子、アルコキシ基およびアリールオキシ基であり、ハロゲン原子が最も好ましい。
【０１０６】
以下に前記一般式（Ｃ２）で表されるシアンカプラーの具体的な化合物例を挙げるが、本発明はこれらに限定されるものではない。
【０１０７】
【化４５】
2005300803.tif 000046
【０１０８】
【化４６】
2005300803.tif 000047
【０１０９】
【化４７】
2005300803.tif 000048
【０１１０】
【化４８】
2005300803.tif 000049
【０１１１】
【化４９】
2005300803.tif 000050
【０１１２】
【化５０】
2005300803.tif 000051
【０１１３】
前記一般式（Ｙ１）においてＲ51で表されるアルキル基としては、直鎖又は分岐のアルキル基、例えば、メチル基、エチル基、イソプロピル基、ｔ−ブチル基、ｎ−ドデシル基、および１−ヘキシルノニル基等が挙げられる。これらＲ51で表されるアルキル基はさらに置換基を有することができ、置換基としては、例えば、ハロゲン原子（例えば塩素原子、臭素原子等）、アリール基（例えばフェニル基、ｐ−ｔ−オクチルフェニル基等）、アルコキシ基（例えばメトキシ基等）、アリールオキシ基（例えば２，４−ジ−ｔ−アミルフェノキシ基等）、スルホニル基（例えばメタンスルホニル基等）、アシルアミノ基（例えばアセチルアミノ基、ベンゾイルアミノ基等）、スルホニルアミノ基（例えばｎ−ドデカンスルホニルアミノ基等）、およびヒドロキシ基等が挙げられる。
【０１１４】
前記一般式（Ｙ１）においてＲ51で表される芳香族基としては炭素数６から１４までのアリール基（例えばフェニル基、１−ナフチル基、および９−アントラニル基等）が挙げられる。Ｒ51で表されるアリール基はさらに置換基を有することができ、置換基としては例えば、ニトロ基、シアノ基、アミノ基（例えばジメチルアミノ基、アニリノ基等）、アルキルチオ基（例えばメチルチオ基等）、前記一般式（３）においてＲ51で表されるアルキル基と同義の基、または前記一般式（３）においてＲ51で表されるアルキル基の置換基として示される基と同義の置換基等が挙げられる。
【０１１５】
Ｒ51は好ましくはアルキル基であり、分岐アルキル基がさらに好ましく、ｔ−ブチル基が特に好ましい。
【０１１６】
前記一般式（Ｙ１）においてＲ52で表される耐拡散性のアルキル基としては、好ましくは炭素原子数８〜２１の直鎖又は分岐のアルキル基、例えば、２−エチルヘキシル基、イソトリデシル基、ヘキサデシル基、あるいはオクタデシル基等が挙げられる。また、Ｒ52で表される耐拡散性のアルキル基は、例えば以下の一般式〔II〕で表されるような、中間に官能基を介する構造を有していてもよい。
【０１１７】
一般式〔II〕
−Ｊ−Ｘ−Ｒ512
式中、Ｊは炭素原子数１から２０までの直鎖または分岐のアルキレン基、例えば、メチレン基、１，２−エチレン基、１，１−ジメチルメチレン基、１−デシルメチレン基等を表し、Ｒ512は炭素原子数１から２０までの直鎖または分岐のアルキル基、例えば前記一般式（Ｙ１）におけるＲ51で表されるアルキル基と同義の基を表す。
【０１１８】
Ｘは−Ｏ−、−ＯＣＯ−、−ＯＳＯ2−、−ＣＯ−、−ＣＯＯ−、−ＣＯＮ（Ｒ513）−、−ＣＯＮ（Ｒ513）ＳＯ2−、−Ｎ（Ｒ513）−、−Ｎ（Ｒ513）ＣＯ−、−Ｎ（Ｒ513）ＳＯ2−、−Ｎ（Ｒ513）ＣＯＮ（Ｒ514）−、−Ｎ（Ｒ513）ＣＯＯ−、−Ｓ（Ｏ）n−、−Ｓ（Ｏ）nＮ（Ｒ513）−、あるいは−Ｓ（Ｏ）nＮ（Ｒ513）ＣＯ−等の結合を表す。（式中、Ｒ513およびＲ514は、水素原子または前記一般式（Ｙ１）においてＲ51で表されるアルキル基およびアリール基と同義の基を表す。ｎは０から２までの整数を表す。）また、Ｒ512とＪとは互いに結合し、環状構造を形成してもよい。
【０１１９】
これらＲ52で表されるアルキル基はさらに置換基を有していてもよく、その場合の置換基としては、例えば、前記一般式（Ｙ１）におけるＲ51で表されるアルキル基の置換基と同義の基を表す。
【０１２０】
前記一般式（Ｙ１）においてＲ52で表される耐拡散性の芳香族基としては、例えば、前記一般式（Ｙ１）におけるＲ51で表されるアリール基と同義の基が挙げられる。このＲ52で表されるアリール基はさらに置換基を有していてもよく、その場合の置換基としては、例えば、前記一般式（Ｙ１）におけるＲ51で表されるアリール基の置換基と同義の基が挙げられる。これらＲ52で表されるアリール基の置換基のうち、炭素原子数４から１０の直鎖または分岐のアルキル基が好ましい。前記一般式（Ｙ１）においてＲ52は、好ましくは耐拡散性のアルキル基であり、特に好ましくは炭素数８〜２１の直鎖アルキル基である。
【０１２１】
前記一般式（Ｙ１）においてＲ53は水素原子又はハロゲン原子を表し、ハロゲン原子としては、塩素原子又は臭素原子が挙げられる。Ｒ53は好ましくは塩素原子である。
【０１２２】
前記一般式（Ｙ１）においてＬ51は現像主薬の酸化体とのカップリング時に離脱しうる含窒素複素環基を表し、下記一般式〔III〕で表される。
【０１２３】
【化５１】
2005300803.tif 000052
【０１２４】
前記一般式〔III〕において、Ｚ1は窒素原子と共同して５〜６員環を形成するのに必要な非金属原子群を表す。ここで非金属原子群を形成するために必要な原子団としては、例えば、置換および無置換のメチレンおよびメチン、＞Ｃ＝Ｏ、＞Ｎ−Ｒ515（Ｒ515は水素原子、アルキル基、シクロアルキル基、アリール基、あるいは複素環基を表す）、−Ｎ＝、−Ｏ−、および−Ｓ（Ｏ）m−（ｍは０から２までの整数を表す）等が挙げられる。
【０１２５】
本発明において前記一般式〔III〕で表される含窒素複素環基Ｌ51は下記一般式〔IV〕、〔Ｖ〕、〔VI〕、〔VII〕、〔VIII〕又は〔IX〕で表される基であることが好ましい。
【０１２６】
【化５２】
2005300803.tif 000053
【０１２７】
前記一般式〔IV〕、〔Ｖ〕、〔VI〕、〔VII〕または〔VIII〕において、Ｒ516、Ｒ517、およびＲ518はそれぞれ含窒素複素環上に置換可能な基を表し、例えば前記一般式（Ｙ１）においてＲ51で表されるアルキル基およびアリール基の置換基として挙げられている基と同義の基を挙げることができる。
【０１２８】
前記一般式〔VIII〕においてＲ519は例えば、前記一般式（Ｙ１）においてＲ51で表されるアルキル基およびアリール基と同義の基を表し、更にまたカルボニル基（例えばアセチル基、トリフルオロアセチルピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、およびスルホニル基（例えばメタンスルホニル基、トリフルオロメタンスルホニル基等のアルキルスルホニル基、およびｐ−トルエンスルホニル基等のアリールスルホニル基）等を表す。
【０１２９】
前記一般式〔VII〕および〔VIII〕においてＺ2は＞Ｎ−Ｒ520（Ｒ520は前記一般式〔III〕におけるＲ515と同義の基を表す）、−Ｏ−、または−Ｓ（Ｏ）k−（ｋは０から２までの整数を表す）を表す。
【０１３０】
前記一般式〔IX〕においてＺ3は＞Ｎ−Ｒ521（Ｒ521は前記一般式〔III〕における基Ｚ1のＲ515と同義の基を表す）または、−Ｏ−を表す。前記一般式〔IX〕においてＺ4＞Ｎ−Ｒ522（Ｒ522は前記一般式〔III〕におけるＲ515と同義の基を表す）または、＞Ｃ（Ｒ523）（Ｒ524）（Ｒ523及びＲ524は水素原子あるいは前記一般式（Ｙ１）においてＲ51で表されるアルキル基およびアリール基の置換基として挙げられている基と同義の基を表す）を表す。
【０１３１】
本発明において、前記一般式〔III〕で表される含窒素複素環基Ｌ51は前記一般式〔IX〕で表される基が特に好ましい。
【０１３２】
前記一般式（Ｙ１）で表される二当量イエローカプラーはいずれかの置換基において結合し、ビス体、トリス体、テトラキス体、あるいはポリマー体を形成しても良い。
【０１３３】
次に、本発明の前記一般式（Ｙ１）で表される２当量イエローカプラーの代表的具体例を示すが、本発明はこれらによって限定されるものではない。
【０１３４】
【化５３】
2005300803.tif 000054
【０１３５】
【化５４】
2005300803.tif 000055
【０１３６】
【化５５】
2005300803.tif 000056
【０１３７】
【化５６】
2005300803.tif 000057
【０１３８】
【化５７】
2005300803.tif 000058
【０１３９】
【化５８】
2005300803.tif 000059
【０１４０】
次に、前記一般式（Ｙ２）で表されるイエローカプラーについて説明する。前記一般式（Ｙ２）において、Ｒ61で表される置換基としては、アルキル基（例えば、メチル基、エチル基、プロピル基、イソプロピル基、（ｉ）ブチル基、（ｓ）ブチル基、（ｔ）ブチル基、ペンチル基、シクロペンチル基、ヘキシル基、シクロヘキシル基、オクチル基、ドデシル基等）、アルケニル基（例えば、ビニル基、アリル基等）、アルキニル基（例えば、プロパルギル基等）、アリール基（例えば、フェニル基、ナフチル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基等）、ハロゲン原子（例えば、塩素原子、臭素原子、ヨウ素原子、フッ素原子等）、アルコキシ基（例えば、メトキシ基、エトキシ基、プロピルオキシ基、ペンチルオキシ基、シクロペンチルオキシ基、ヘキシルオキシ基、シクロヘキシルオキシ基、オクチルオキシ基、ドデシルオキシ基等）、アリールオキシ基（例えば、フェノキシ基、ナフチルオキシ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルホンアミド基（例えば、メチルスルホニルアミノ基、エチルスルホニルアミノ基、ブチルスルホニルアミノ基、ヘキシルスルホニルアミノ基、シクロヘキシルスルホニルアミノ基、オクチルスルホニルアミノ基、ドデシルスルホニルアミノ基、フェニルスルホニルアミノ基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチル���ミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、アシルアミノ基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、アルキルスルホニル基またはアリールスルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、スルホ基、カルボキシル基、ヒドロキシル基等が挙げられ、これらの基は、更に上記の置換基によって置換されていてもよい。
【０１４１】
Ｒ61で表される基のうちで好ましいものはアルキル基であり、さらに好ましくは炭素数１〜６のアルキル基である。
【０１４２】
Ｚ61は−Ｎ−Ｃ＝Ｎ−部と共に含窒素６員ヘテロ環を形成する残基を表す。この含窒素へテロ環は置換もしくは無置換のヘテロ環であり、より好ましくは、環構成原子が炭素原子、窒素原子からなり、かつ窒素原子を２個から４個有するヘテロ環基であり、更に好ましくは、窒素原子を２個有する含窒素６員ヘテロ環である。
【０１４３】
Ｚ61が−Ｎ−Ｃ＝Ｎ−部と共に形成する含窒素６員環の例としては４−ピリミドン、１，３−ジアジン−４，６−ジオン、１，３，５−トリアジン−２−オン、１，２，４−トリアジン−５−オン等が挙げられる。Ｚ61が−Ｎ−Ｃ＝Ｎ−部と共に形成する含窒素６員環は置換基を有していてもよく、この置換基の例としては、前述のＲ61が有していてもよい置換基として挙げた例が挙げられる。また、互いに隣接する置換基が結合して環を形成してもよく、好ましくは５員〜７員の飽和または不飽和環であり、該環は脂環、芳香環、ヘテロ環であってもよく、例えば、ベンゼン環、フラン環、チオフェン環、シクロペンタン環、シクロヘキサン環が挙げられる。
【０１４４】
好ましくはＺ61は４−ピリミドン環を形成する残基である。さらに好ましくはＺ61は−Ｃ（−Ｒ62）＝Ｃ（−Ｒ63）−ＣＯ−で表される。Ｒ62、Ｒ63は互いに結合して−Ｃ＝Ｃ−とともに５〜７員環を形成する基、もしくはそれぞれ独立に水素原子または置換基を表す。Ｒ62、Ｒ63が互いに結合して−Ｃ＝Ｃ−とともに形成する環としては、好ましくはベンゼン環である。Ｒ62、Ｒ63が置換基を表す時、これらは同じであっても異なっていてもよく、置換基の例としては前述のＲ61が有してもよい置換基の例として挙げたものが挙げられる。
【０１４５】
Ｘ61はアリール基または複素環を表す。アリール基として好ましくは、例えばフェニル、ナフチルが挙げられる。複素環基としては例えばイミダゾリル、ナフトイミダゾリル、ピラゾリル、ピロール、チオフェン、チアゾリル、オキサゾリル、フラン、チアジアゾリル、ピリダジニル、トリアゾリル、テトラゾリル、ピリジル、ピリミジニル等が挙げられる。Ｘ61は置換基を有していてもよく、置換基の例としては前述のＲ61が有してもよい置換基の例として挙げたものが挙げられる。Ｘ61の中で好ましくはアリール基上のアミド部が結合した位置の隣接位にハロゲン原子（例えば、フッ素原子、塩素原子）、アルキル基（例えばメチル基）、アルコキシ基（例えばメトキシ基、イソプロピルオキシ基、ドデシルオキシ基）、アリールオキシ基（例えばフェノキシ基）を有することが好ましい。より好ましくはハロゲン原子、アルコキシ基を有することが好ましく、さらに好ましくはアルコキシ基を有することが好ましい。本発明のカプラーにおいてＸ61はフェニル基が好ましく、フェニル基のアミド部に結合する位置を１位として、少なくとも２位に前記の置換基を有するものが好ましく、２及び５位に前記の置換基を有するものがより好ましい。
【０１４６】
Ｌ61は水素原子または発色現像主薬の酸化体との反応により離脱しうる基を表す。Ｌ61の例としては窒素原子で離脱する基、酸素原子で離脱する基、イオウ原子で離脱する基、ハロゲン原子（例えば塩素原子、臭素原子）などが挙げられる。窒素原子で離脱する基としては、ヘテロ環基（好ましくは５〜７員の置換もしくは無置換、飽和もしくは不飽和、芳香族（本願では４ｎ＋２個の環状共役電子を有するものを意味する）もしくは非芳香族、単環もしくは縮合環のヘテロ環基であり、より好ましくは、環構成原子が炭素原子、窒素原子および硫黄原子から選択され、かつ窒素原子、酸素原子および硫黄原子のいずれかのヘテロ原子を少なくとも一個有する５もしくは６員のヘテロ環基であり、例えばスクシンイミド、マレインイミド、フタルイミド、ジグリコールイミド、ピロール、ピラゾール、イミダゾール、１，２，４−トリアゾール、テトラゾール、インドール、ベンゾピラゾール、ベンツイミダゾール、ベンゾトリアゾール、イミダゾリン−２，４−ジオン、オキサゾリジン−２，４−ジオン、チアゾリジン−２−オン、ベンツイミダゾリン−２−オン、ベンゾオキサゾリン−２−オン、ベンゾチアゾリン−２−オン、２−ピロリン−５−オン、２−イミダゾリン−５−オン、インドリン−２，３−ジオン、２，６−ジオキシプリンパラバン酸、１，２，４−トリアゾリジン−３，５−ジオン、２−ピリドン、４−ピリドン、２−ピリミドン、６−ピリダゾン、２−ピラゾン、２−アミノ−１，３，４−チアゾリジン−４−オン）、カルボナミド基（例えばアセタミド、トリフルオロアセタミド）、スルホンアミド基（例えばメタンスルホンアミド、ベンゼンスルホンアミド）、アリールアゾ基（例えばフェニルアゾ、ナフチルアゾ）、カルバモイルアミノ基（例えばＮ−メチルカルバモイルアゾ）などが挙げられる。窒素原子で離脱する基のうち、好ましいものはヘテロ環基である。
【０１４７】
酸素原子で離脱する基としては、アリールオキシ基（例えばフェノキシ、１−ナフトキシ）、ヘテロ環オキシ基（例えばピリジルオキシ、ピラゾリルオキシ）、アシルオキシ基（例えばアセトキシ、ベンゾイルオキシ）、アルコキシ基（例えばメトキシ、ドデシルオキシ）、カルバモイルオキシ基（例えばＮ，Ｎ−ジエチルカルバモイルオキシ、モルホリノカルバモイルオキシ）、アリールオキシカルボニルオキシ基（例えばフェノキシカルボニルオキシ）、アルコキシカルボニルオキシ基（例えばメトキシカルボニルオキシ、エトキシカルボニルオキシ）、アルキルスルホニルオキシ基（例えばメタンスルホニルオキシ）、アリールスルホニルオキシ基（例えばベンゼンスルホニルオキシ、トルエンスルホニルオキシ）などが挙げられる。酸素原子で離脱する基のうち、好ましいものはアリールオキシ基、アシルオキシ基、ヘテロ環オキシ基である。
【０１４８】
イオウ原子で離脱する基としては、アリールチオ基（例えばフェニルチオ、ナフチルチオ）、ヘテロ環チオ基（例えばテトラゾリルチオ、１，３，４−チアジアゾリルチオ、１，３，４−オキサゾリルチオ、ベンツイミダゾリルチオ）、アルキルチオ基（例えばメチルチオ、オクチルチオ、ヘキサデシルチオ）、アルキルスルフィニル基（例えばメタンスルフィニル）、アリールスルフィニル基（例えばベンゼンスルフィニル）、アリールスルホニル基（例えばベンゼンスルホニル）、アルキルスルホニル基（例えばメタンスルホニル）などが挙げられる。イオウ原子で離脱する基のうち、好ましいものはアリールチオ基、ヘテロ環チオ基であり、ヘテロ環チオ基がより好ましい。
【０１４９】
Ｌ61は置換基により置換されていてもよく、Ｌ61を置換する置換基の例としては前述のＲ61の置換基の例として挙げたものが挙げられる。Ｌ61は、好ましくは窒素原子で離脱する基である。
【０１５０】
以下に一般式（Ｙ２）で表されるイエローカプラーの具体的化合物例を示すが、本発明はこれらに限定されるものではない。
【０１５１】
【化５９】
2005300803.tif 000060
【０１５２】
【化６０】
2005300803.tif 000061
【０１５３】
【化６１】
2005300803.tif 000062
【０１５４】
【化６２】
2005300803.tif 000063
【０１５５】
【化６３】
2005300803.tif 000064
【０１５６】
【化６４】
2005300803.tif 000065
【０１５７】
【化６５】
2005300803.tif 000066
【０１５８】
【化６６】
2005300803.tif 000067
【０１５９】
【化６７】
2005300803.tif 000068
【０１６０】
【化６８】
2005300803.tif 000069
【０１６１】
【化６９】
2005300803.tif 000070
【０１６２】
【化７０】
2005300803.tif 000071
【０１６３】
【化７１】
2005300803.tif 000072
【０１６４】
【化７２】
2005300803.tif 000073
【０１６５】
【化７３】
2005300803.tif 000074
【０１６６】
【化７４】
2005300803.tif 000075
【０１６７】
【化７５】
2005300803.tif 000076
【０１６８】
【化７６】
2005300803.tif 000077
【０１６９】
【化７７】
2005300803.tif 000078
【０１７０】
【化７８】
2005300803.tif 000079
【０１７１】
【化７９】
2005300803.tif 000080
【０１７２】
【化８０】
2005300803.tif 000081
【０１７３】
本発明の写真感光材料において、前記一般式〔Ｉ〕及び〔II〕で表されるオキソノール染料は、ハロゲン化銀写真感光乳剤中に含有させて、イラジエーション防止染料として用いることもできるし、また非感光性の親水性コロイド層中に含有させて、フィルター染料或いはハレーション防止染料として用いることもできる。また、使用目的により２種以上の染料を組合わせて用いてもよいし、他の染料と組合わせて用いてもよい。本発明に係る染料をハロゲン化銀写真感光乳剤層中、或いは、その他の親水性コロイド層中に含有させるためには、通常の方法が採用でき、容易に行なうことができる。一般には、染料又は、染料の有機・無機アルカリ塩を水に溶解し、適当な濃度の染料水溶液とし、塗布液に添加して、公知の方法で塗布を行ない写真感光材料中に染料を含有させることができる。これらの染料は、使用目的によって異なるが、一般には感光材料上の面積１ｍ2あたり１〜８００ｍｇになるように塗布して用いる。
【０１７４】
本発明の写真感光材料における支持体としては、酢酸セルロース、硝酸セルロース、例えばポリエチレンテレフタレート等のポリエステルフィルム、例えばポリエチレン等のポリオレフィンフィルム、ポリスチレンフィルム、ポリアミドフィルム、ポリカーボネートフィルム、バライタ紙、ポリオレフィン被覆紙、ポリプロピレン合成紙、ガラス板、金属等があり、これらの支持体は、それぞれ写真感光材料の使用目的に応じて、適宜選択される。
【０１７５】
本発明の写真感光材料における親水性コロイドとしては、ゼラチン、フタル化ゼラチンやベンゼンスルホニル化ゼラチン等の誘導体ゼラチン、寒天やカゼイン或いはアルギン酸等の水溶性天然高分子、ポリビニルアルコールやポリビニルピロリドン等の合成樹脂、カルボキシメチルセルロース等のセルロース誘導体等が挙げられ、これらは単独もしくは組合わせて用いることができる。
【０１７６】
本発明の写真感光材料におけるハロゲン化銀乳剤としては、塩化銀、臭化銀、沃化銀、塩臭化銀、沃臭化銀、塩沃臭化銀乳剤などの通常ハロゲン化銀写真乳剤に用いられる任意のものが包含される。
【０１７７】
本発明の写真感光材料に用いられるハロゲン化銀乳剤は、通常行なわれる製法をはじめ種々の製法、例えば特公昭４６−７７７２号に記載されている如き方法、或いは米国特許第２，５９２，２５０号に記載されている如き方法、すなわち、少なくとも溶解度が臭化銀よりも大きい銀塩からなる銀塩粒子の乳剤を形成し、次いでこの粒子の少なくとも一部を臭化銀塩又は沃臭化銀塩に変換する等の所謂コンバージョン乳剤の製法、或いは、０．１μｍ以下の平均粒径を有する微粒子状ハロゲン化銀からなるリップマン乳剤の製法等によっても作製することができる。このハロゲン化銀乳剤は、化学増感剤、例えば、チオ硫酸塩、アリルチオカルバミド、チオ尿素、アリルイソチオシアネート、シスチン等の硫黄増感剤、活性或いは不活性のセレン増感剤、カリウムクロロオーレート、オーリックトリクロライド、カリウムオーリックチオシアネート、２−オーロチアベンズチアゾールメチルクロライドなどのような金化合物、アンモニウムクロロパラテート、ナトリウムクロロパラテートなどのようなパラジウム化合物、カリウムクロロプラチネートのようなプラチニウム化合物、ルテニウム化合物、ロジウム化合物、イリジウム化合物などのような貴金属増感剤又はこのような増感剤の組合せを用いて増感することができる。また、この乳剤は、上記化学増感以外にも還元剤で還元増感することができ、トリアゾール類、イミダゾール類、アザインデン類、ベンズチアゾリウム化合物、亜鉛化合物、カドミウム化合物、メルカプタン類又はこれらの混合物を使用することができ、また、チオエーテル類、第４級アンモニウム塩類又は、ポリアルキレンオキサイド類の増感化合物を含有させることができる。
【０１７８】
本発明の写真感光材料に用いられる写真乳剤は、必要に応じて増感色素によって分光増感されてよい。増感色素としては、シアニン色素、メロシアニン色素、コンプレックスシアニン色素、オキソノール色素、ヘミオキソノール色素、スチリル色素、メロスチリル色素、ストレプトシアニン色素等の種々のものを用いることができ、またそれぞれ、増感色素を１種或いは２種以上組合わせて用いることができる。
【０１７９】
本発明の写真感光材料において、写真乳剤層及びその他の親水性コロイド層中に、グリセリン、１，５−ペンタンジオール等のジヒドロキシアルカン、エチレンビスグリコール類のエステル、ビス−エトキシジエチレングリコールサクシネート、乳化重合によって得られる水分散性の微粒子状高分子化合物等の湿潤剤、可塑剤、膜物性改良剤等を含有させることができ、また、アルデヒド化合物、Ｎ，Ｎ′−ジメチロール尿素等のＮ−メチロール化合物、ムコハロゲン酸、ジビニルスルホン類、２，４−ジクロル−６−ヒドロキシ−５−トリアジン等の活性ハロゲン化合物、ジオキサン誘導体、ジビニルケトン類、イソシアネート類、カルボジイミド類等の硬膜剤やサポニン、ポリアルキレングリコール、ポリアルキレングリコールエーテル、アルキルスルホン酸塩、アルキルベンゼンスルホン酸塩、アルキルナフタレンスルホン酸塩等の界面活性剤、更に、蛍光増白剤、帯電防止剤、アンチステイン剤、紫外線吸収剤、安定剤等の写真用添加剤を含有させることができる。
【実施例】
【０１８０】
次に、本発明を実施例により説明するが、本発明がこれらによって限定されるものではない。
【０１８１】
以下の実施例で用いた化合物を以下に示す。
【０１８２】
【化８１】
2005300803.tif 000082
【０１８３】
【化８２】
2005300803.tif 000083
【０１８４】
【化８３】
2005300803.tif 000084
【０１８５】
【化８４】
2005300803.tif 000085
【０１８６】
【化８５】
2005300803.tif 000086
【０１８７】
【化８６】
2005300803.tif 000087
【０１８８】
実施例１
紙支持体の片面にポリエチレンを、もう一方の面に酸化チタンを含有するポリエチレンをラミネートした支持体上に、表１、表２に示す構成の各層を酸化チタンを含有するポリエチレン層の側に塗設し、多層ハロゲン化銀カラー写真感光材料試料１〜３３を作製した。各塗布液は下記の如く調製した。
【０１８９】
第１層塗布液
比較Ｙ−カプラー２６．７ｇ、色素画像安定化剤（ＳＴ−１）１０．０ｇ、色素画像安定化剤（ＳＴ−２）６．６７ｇ、ステイン防止剤（ＨＱ−１）０．６７ｇ及び高沸点有機溶媒（ＤＮＰ）６．６７ｇに酢酸エチル６０ｍｌを加え溶解し、この溶液を２０％界面活性剤（ＳＵ−１）水溶液７ｍｌを含有する１０％ゼラチン水溶液２２０ｍｌに超音波ホモジナイザーを用いて乳化分散させてイエローカプラー分散液を作製した。この分散液を下記条件にて作製した青感性ハロゲン化銀乳剤（Ｅｍ−Ｂ）（銀８．６７ｇ含有）と混合し第１層塗布液を調製した。
【０１９０】
第２層〜第７層塗布液も上記第１層塗布液と同様に調製した。また、硬膜剤として第２層及び第４層に（Ｈ−１）を、第７層に（Ｈ−２）を添加した。塗布助剤としては、界面活性剤（ＳＵ−１）、（ＳＵ−２）を添加し、表面張力を調整した。
【０１９１】
（青感性ハロゲン化銀乳剤の調製方法）
４０℃に保温した２％ゼラチン水溶液１０００ｍｌ中に、下記（Ａ液）及び（Ｂ液）をｐＡｇ＝６．５、ｐＨ＝３．０に制御しつつ３０分かけて同時添加し、更に下記（Ｃ液）及び（Ｄ液）をｐＡｇ＝７．３、ｐＨ＝５．５に制御しつつ１８０分かけて同時添加した。この時、ｐＡｇの制御は特開昭５９−４５４３７号公報記載の方法により行い、ｐＨの制御は硫酸又は水酸化ナトリウムの水溶液を用いて行った。
（Ａ液）
塩化ナトリウム                                          ３．４２ｇ
臭化カリウム                                            ０．０３ｇ
水を加えて                                              ２００ｍｌ
（Ｂ液）
硝酸銀                                                      １０ｇ
水を加えて                                              ２００ｍｌ
（Ｃ液）
塩化ナトリウム                                        １０２．７ｇ
臭化カリウム                                              １．０ｇ
水を加えて                                              ６００ｍｌ
（Ｄ液）
硝酸銀                                                    ３００ｇ
水を加えて                                              ６００ｍｌ
添加終了後、花王アトラス社製デモールＮの５％水溶液と硫酸マグネシウムの２０％水溶液を用いて脱塩を行った後、ゼラチン水溶液と混合して平均粒径０．８５μｍ、粒径分布の変動係数０．０７、塩化銀含有率９９．５モル％の単分散立方体乳剤ＥＭＰ−１を得た。
【０１９２】
上記ＥＭＰ−１に対し、下記化合物を用い５０℃にて最適に化学増感を行い、青感性ハロゲン化銀乳剤（Ｅｍ−Ｂ）を得た。
【０１９３】
チオ硫酸ナトリウム                          ０．８ｍｇ／モルＡｇＸ
塩化金酸                                    ０．５ｍｇ／モルＡｇＸ
安定剤  ＳＴＡＢ−１                    ６×１０-4モル／モルＡｇＸ
増感色素  ＢＳ−１                      ４×１０-4モル／モルＡｇＸ
増感色素  ＢＳ−２                      １×１０-4モル／モルＡｇＸ
（緑感性ハロゲン化銀乳剤の調製方法）
（Ａ液）と（Ｂ液）の添加時間及び（Ｃ液）と（Ｄ液）の添加時間を変更する以外はＥＭＰ−１と同様にして平均粒径０．４３μｍ、変動係数０．０８、塩化銀含有率９９．５％の単分散立方体乳剤ＥＭＰ−２を得た。
【０１９４】
上記ＥＭＰ−２に対し、下記化合物を用い５５℃にて最適に化学増感を行い、緑感性ハロゲン化銀乳剤（Ｅｍ−Ｇ）を得た。
【０１９５】
チオ硫酸ナトリウム                          １．５ｍｇ／モルＡｇＸ
塩化金酸                                    １．０ｍｇ／モルＡｇＸ
安定剤  ＳＴＡＢ−１                    ６×１０-4モル／モルＡｇＸ
増感色素  ＧＳ−１                      ４×１０-4モル／モルＡｇＸ
（赤感性ハロゲン化銀乳剤の調製方法）
（Ａ液）と（Ｂ液）の添加時間及び（Ｃ液）と（Ｄ液）の添加時間を変更する以外はＥＭＰ−１と同様にして平均粒径０．５０μｍ、変動係数０．０８、塩化銀含有率９９．５％の単分散立方体乳剤ＥＭＰ−３を得た。
【０１９６】
又、前記（Ｃ液）中には、次の金属化合物を添加した。
【０１９７】
Ｋ2ＩｒＣｌ6                        ３．８×１０-8モル／モルＡｇＸ
Ｋ4Ｆｅ（ＣＮ）6                    １．２×１０-5モル／モルＡｇＸ
上記ＥＭＰ−３に対し、下記化合物を用い６０℃にて最適に化学増感を行い、赤感性ハロゲン化銀乳剤（Ｅｍ−Ｒ）を得た。
【０１９８】
チオ硫酸ナトリウム                          １．８ｍｇ／モルＡｇＸ
塩化金酸                                    ２．０ｍｇ／モルＡｇＸ
安定剤  ＳＴＡＢ−１                    ６×１０-4モル／モルＡｇＸ
増感色素  ＲＳ−１２                    １×１０-4モル／モルＡｇＸ
【０１９９】
【表１】
2005300803.tif 000088
【０２００】
【表２】
2005300803.tif 000089
【０２０１】
このようにして作製した試料を常法に従って露光後、下記の処理工程に従って処理を行なった。
【０２０２】
処理工程           処理温度            時間
発色現像      ３９．０±０．３℃      ２５秒
漂白定着      ３５．０±０．５℃      ２５秒
安 定 化          ３０〜３４℃        ６０秒
乾    燥          ６０〜８０℃        ６０秒
発色現像液
純水                                                    ８００ｍｌ
トリエタノールアミン                                        １０ｇ
Ｎ，Ｎ−ジエチルヒドロキシルアミン                            ５ｇ
臭化カリウム                                            ０．０２ｇ
塩化カリウム                                                  ２ｇ
亜硫酸カリウム                                            ０．３ｇ
１−ヒドロキシエチリデン−１，１−ジホスホン酸            １．０ｇ
エチレンジアミン四酢酸                                    １．０ｇ
カテコール−３，５−ジスルホン酸二ナトリウム              １．０ｇ
Ｎ−エチル−Ｎ−β−メタンスルホンアミドエチル−３−メチル−４
−アミノアニリン硫酸塩                                  ６．０ｇ
蛍光増白剤（４，４′−ジアミノスチルベンジスルホン酸誘導体）
１．０ｇ
炭酸カリウム                                                ２７ｇ
水を加えて全量を１リットルとし、ｐＨ＝１０．１０に調整する。
【０２０３】
漂白定着液
エチレンジアミン四酢酸第二鉄アンモニウム２水塩              ６０ｇ
エチレンジアミン四酢酸                                        ３ｇ
チオ硫酸アンモニウム（７０％水溶液）                    １００ｍｌ
亜硫酸アンモニウム（４０％水溶液）                    ２７．５ｍｌ
水を加えて全量を１リットルとし、炭酸カリウム又は氷酢酸でｐＨ＝５．７に調整する。
【０２０４】
安定化液
５−クロロ−２−メチル−４−イソチアゾリン−３−オン      １．０ｇ
エチレングリコール                                        １．０ｇ
１−ヒドロキシエチリデン−１，１−ジホスホン酸            ２．０ｇ
エチレンジアミン四酢酸                                    １．０ｇ
水酸化アンモニウム（２０％水溶液）                        ３．０ｇ
蛍光増白剤（４，４′−ジアミノスチルベンジスルホン酸誘導体）
１．５ｇ
水を加えて全量を１リットルとし、硫酸又は水酸化カリウムでｐＨ＝７．０に調整する。
【０２０５】
次に、それぞれ得られた試料について、以下に示す評価を行った。
【０２０６】
〈感度および保存性評価〉
各試料を常法に従いウェッジ露光後、上述した処理方法に従って処理をした。得られた試料の反射濃度を測定して特性曲線を求めカブリ値＋０．５の濃度を与える露光量の逆数を感度とし、比較試料１の感度を１００とした場合の相対値として感度Ｓを算出した。３０℃８０％ＲＨの条件下で３日間保存した後処理した試料の感度との比ΔＳをもって感光材料保存性の尺度とした。値が１００に近いほど保存性が良好であることを示す。
【０２０７】
ΔＳ＝（感度〔３０℃８０％ＲＨ試料〕）／（感度Ｓ）
〈白地性及びステイン発生の評価〉
又、未露光部の赤色光反射濃度（ＤＲ）をＸライト社３１０ＴＦにより測定した。又、未露光部における処理後のステインの有無を目視で調べた。
−      ステイン無し
＋      ステインを僅かに認める（実用可）
＋＋    ステインあり（実用不可）
＋＋＋  ステイン多く実用不可。
【０２０８】
ＤＲが小さい程、白地性は優れている。ＤＲの値は、０．０２以下であれば許容されるレベルであるが、０．０２０を越えると視覚的にも白さの劣化が目立ち、更に０．０２５を越えると深刻な写真品質の劣化を引き起こす。結果を表３に示す。
【０２０９】
【表３】
2005300803.tif 000090
【０２１０】
表３が示すように、比較染料［Ａ］と比較カプラーを組み合わせた試料は低感度であり、また保存後に感度低下が見られ、さらに白地性、ステインの劣化が見られた。また、本発明の染料と比較カプラーを組み合わせた試料においても同様に劣化が見られた。
【０２１１】
これに対して本発明の染料と本発明のカプラーの組み合わせた試料６〜３３は程度の低いものもあるがおしなべて高感度であり、保存後の感度低下も小さく良好であった。さらに白地性、ステインについても良好であることが分かる。